【事件の表示】
　特願２０１１−１４７３５０「アミン化合物の精製方法」拒絶査定不服審判事件〔平成２３年１０月２０日出願公開、特開２０１１−２０９７５５〕について、次のとおり審決する。
【結　論】
　本件審判の請求は、成り立たない。
【理　由】
１　手続の経緯 
　本願は、平成１２年６月３０日（以下「原出願日」という。）に出願された特願２０００−１９９３３４号の一部を平成２３年７月１日に新たな特許出願としたものであって、平成２４年４月１２日に手続補正がなされ、同年５月１５日付けで拒絶査定がなされ、これに対して、同年８月９日に拒絶査定不服審判の請求がなされると同時に手続補正がなされ、当審において平成２５年１月２９日付けで拒絶の理由（以下「当審拒絶理由」という。）が通知され、同年４月８日に手続補正がなされたものである。 
　 
２　本願発明 
　本願の請求項１に係る発明は、平成２５年４月８日付け手続補正によって補正された特許請求の範囲の請求項１に記載された次の事項によって特定されるものである。 
　 
「電荷輸送材料としてのアミン化合物を有機溶媒中に溶解させ、活性白土を活性化するために該溶液を８０℃〜１３０℃の温度に設定して、該活性白土と接触させる電荷輸送材料としてのアミン化合物の精製方法であって、前記アミン化合物が、電子写真感光体用材料であり、ベンジジン誘導体、スチルベン誘導体のうちの何れかであることを特徴とする電荷輸送材料としてのアミン化合物の精製方法。」（以下「本願発明」という。） 
　 
３　刊行物の記載事項 
　当審拒絶理由で引用した、本願の原出願日前に頒布された刊行物である特開平７−５６３６５号公報（以下「引用例」という。）には、次の事項が記載されている（下線は審決で付した。以下同じ。）。 
　
（１）「【請求項１】　
電子写真用感光体用の電荷輸送材料
を有機溶剤中に溶解させ、該溶液を活性白土と接触させる
電子写真用感光体用電荷輸送材料の精製法
【請求項２】  請求項１記載の溶液を更に活性炭と接触させることを特徴とする電子写真用感光体用電荷輸送材料の精製法。」
（２）「【０００１】
【産業上の利用分野】本発明は、電子写真感光体の電荷輸送材料（以下「ＣＴＭ」と略称する）又はその原料を精製する方法に関するものである。
【０００２】
【従来の技術と発明が解決しようとする課題】ＣＴＭとして用いる物質は高い純度が要求される、すなわち電子写真感光体として用いる場合種々の性能を要求されるが、通常、製造したままの粗製品では全くその性能を充たすことが出来ず、精製工程が必須であった。そのため、従来種々の溶剤による懸濁洗浄又は昇華、カラム等により精製を行ってきた。しかしこれらの方法では精製収率が低い、又は工業的には操作的に難点があり量産化には種々問題があった。さらにこれらの方法で高純度のものが得られても、電子写真として要求される電気特性は満足できない場合がしばしばあった。さらに、脱色、脱臭のためによく用いられる活性炭処理も粗製品の脱色には効果があるが、電気特性を満足させるだけの精製を十分におこなうことはできなかった。そこで、電子写真用として量産に対応でき性能的にも問題ない精製法の開発が強く望まれていた。
【０００３】
【課題を解決するための手段】本発明者らは、ＣＴＭを量産化できる手法で、電気特性の満足できる方法につき鋭意検討を重ねた結果、粗製ＣＴＭを適当なる有機溶剤に溶かした後、活性白土で処理することですぐれた電気特性を示すことを見い出し、本発明に到達した。又、その処理に活性炭処理を併用することも好ましいことを見出した。
【０００４】即ち、本発明の要旨は、
電子写真感光体用電荷輸送材料
ＣＴＭ等」と略称する
【０００５】有機溶剤の使用量は任意に選択できるが、好ましくはＣＴＭ等に対し２〜３０倍量の範囲である。又
処理温度は通常２０〜２００℃
である
【０００６】電子吸引性化合物としては、ジフェノキノン、ナフトキノン、アントラキノン、フルオレノン等の芳香族カルボニル化合物が挙げられる。電子供与性化合物としては、イオン化ポテンシャルの低い化合物が好ましく、特に分子内に１個以上の窒素原子を有する化合物が好適である。窒素原子の形態としては、ジエチルアミノ基、ジフェニルアミノ基等の芳香環に置換したアミノ基、複素環化合物、あるいは、置換ヒドラゾン化合物やヒドラジン化合物が好ましい。
【０００７】…（略）…
【０００９】ＣＴＭ等を活性白土と接触させる（以下活性白土処理とも称する）方法としては、粗ＣＴＭ等を有機溶剤に溶かし、該溶液中に活性白土を加え、適当なる時間（通常１０分〜２時間）撹拌（場合により浸漬したままでも良い）した後濾過し、濾液に貧溶媒を加えて結晶を濾別するか、濾液を濃縮、乾固して精製ＣＴＭ等を得る方法が１方法として挙げられる。なお、この場合の処理は一回で目的を達成できる場合もあるが、不充分なる場合は同一操作を２回以上繰り返すことで目的を達成でき、多量の活性白土を用いて一回行うよりも少量の白土で２回以上繰り返す方が効果的である。
【００１０】上記以外の方法として、活性白土をカラムに充填しておき、ここに粗ＣＴＭ等の有機溶剤を流し、処理液を上記方法と同様に処理して精製ＣＴＭを得ることも可能で、目的に応じ選択できる。又、更に活性炭処理と接触させる方法としては、活性白土の代りに活性炭をＣＴＭ等の溶液に加え、活性白土処理と同様の処理を行なう。活性炭処理と、活性白土処理は交互に行なうのが効果的であり、好ましい。尚、活性炭と活性白土を同時に溶液と接触させることも良い。
【００１１】活性白土は特に電子供与性ＣＴＭの精製に効果があるが、その理由としては、活性白土は一般的に酸性物質を含むため芳香族アミンなどの電子供与性化合物由来の不純物を吸着しやすいことがあげられ、さらにそれらの不純物を化学的に変化させ、吸着しやすくする効果もあると考えられる。
【００１２】
【発明の効果】以上詳述した如く、本発明は電子写真感光体に用いるＣＴＭ等を精製する方法を提供するものであり、すぐれた精製効果が得られるので電子写真感光体として非常に良好な性能が再現性良く得られる。又操作が簡単なので工業的規模での製造にも極めて有利である。」
【００１３】
【実施例】以下実施例により本発明を更に具体的に説明するが、本発明はその要旨を超えない限り以下の実施例によって限定されるものではない。
【００１４】実施例１
１−ピレンカルボキシアルデヒドとＮ，Ｎ−ジフェニルヒドラジンとを縮合させたヒドラゾン化合物である１−ピレンカルボキシアルデヒド−Ｎ，Ｎ−ジフェニルヒドラゾン粗製物１００ｇを６０℃でトルエン２００ｍｌに溶解させ、活性炭３ｇを加え３０分間、６０℃で撹拌させた。処理液を濾過し、濾液に活性白土１０ｇを加えて６０℃で３０分間撹拌させ濾過した。この活性炭、活性白土処理をさらに１回繰り返した後処理液にメタノールを加え、結晶を析出させて濾過、乾燥し上記ヒドラゾン化合物の精製品８５ｇを得た。該ヒドラゾン化合物７０部と下記に示すポリカーボネート樹脂
【００１５】…（略）…
【００２３】実施例３
実施例１に準じた方法でＣＴＭを精製して感光体を作成し感度を測定した結果を表−１に示した。
【００２４】
【表２】
」
（３）上記（２）【０００５】「有機溶剤の使用量は任意に選択できるが、好ましくはＣＴＭ等に対し２〜３０倍量の範囲である。又
処理温度
処理温度
有機溶剤中に溶解させ、該溶液を活性白土と接触させる
該溶液
この場合の処理
　
（４）上記（１）ないし（３）の記載からみて、引用例には、 
　「電子写真感光体用電荷輸送材料を有機溶剤中に溶解させ、該溶液を活性白土と接触させる電子写真感光体用電荷輸送材料の精製法において、
　該溶液処理温度を通常２０〜２００℃とし、電子写真感光体用電荷輸送材料が、
又は
である電子写真感光体用電荷輸送材料の精製法。」の発明（以下「引用発明」という。）が記載されているものと認められる。 
　 
４　対比 
　本願発明と引用発明とを対比すると、 
（１）引用発明の「電荷輸送材料」、「電子写真感光体用電荷輸送材料」、「有機溶剤」、「溶液」、「該溶液処理温度」、「活性白土」、「『電子写真感光体用電荷輸送材料』としての
又は
」及び「精製法」は、それぞれ、本願発明の「電荷輸送材料」、「『電子写真感光体用材料』である『電荷輸送材料』」、「有機溶剤」、「溶液」、「『該溶液』の『設定』された『温度』」、「活性白土」、「『電荷輸送材料としてのアミン化合物』であって、『前記アミン化合物が、電子写真感光体用材料であり、ベンジジン誘導体、スチルベン誘導体のうちの何れか』である『電荷輸送材料としてのアミン化合物』」及び「精製方法」に相当する。
（２） 引用発明の「溶液処理温度」は通常２０〜２００℃であり、本願発明の「『該溶液』の『設定』された『温度』」は８０℃〜１３０℃であるから、両者は所定範囲の温度である点で一致する。
　
（３）上記（１）ないし（２）から、本願発明と引用発明とは、
　「電荷輸送材料としてのアミン化合物を有機溶媒中に溶解させ、該溶液を所定範囲の温度に設定して、活性白土と接触させる該活性白土と接触させる電荷輸送材料としてのアミン化合物の精製方法であって、前記アミン化合物が、電子写真感光体用材料であり、ベンジジン誘導体、スチルベン誘導体のうちの何れかである電荷輸送材料としてのアミン化合物の精製方法」
である点で一致し、以下の点で相違する。
　
相違点：電荷輸送材料としてのアミン化合物を有機溶媒中に溶解させた溶液に関し、本願発明は、「『活性白土を活性化するため』に『８０℃〜１３０℃の温度に設定して』」いるのに対して、引用発明は、通常２０〜２００℃とする点。　 
　
５　判断 
　相違点について検討する。 
（１）本願明細書の「本発明者らは電荷輸送材料を量産化でき、かつ電気特性を満足できる精製方法について鋭意検討を重ねた結果、活性白土を使用した処理において、この処理をある一定の温度条件下で行なうことにより電気特性を大幅に向上させることを見出し、本発明を完成するに至った。すなわち本発明は電荷輸送材料としてのアミン化合物であり、
電子写真感光体用材料
活性白土を活性化するために該溶液を８０℃〜１３０℃の温度
電荷輸送材料
電子写真感光体用材料
（２）一方、電子写真感光体用電荷輸送材料としてのアミン化合物を有機溶媒中に溶解させ、常温付近の
２０〜６０℃より高い温度に設定された溶液中で
（３）また、電子写真感光体において、初期電位が高いとは帯電性が高いことを意味し、半減露光量が小さいとは感度が高いことを意味することが当業者に自明であり、残留電位が少なく、帯電性及び感度が高い電子写真感光体を得ることは、本願の原出願日時点で周知の技術課題である（以下「周知事項」という。例．特開昭６４−８６１５６号公報（特に１頁左下欄下から６行〜右下欄６行及び５頁左上欄６行〜右上欄末行）、特開昭６４−８６１５７号公報（特に１頁左下欄下から６行〜右下欄６行及び４頁左下欄６行〜右下欄末行）参照。）。
（４）引用発明は、溶液処理温度を通常２０〜２００℃としているところ、上記（１）ないし（３）に照らして、残留電位が少なく、帯電性及び感度が高い電子写真感光体を得るべく、得られた電子写真感光体用電荷輸送材料を電子写真感光体に用い、該溶液処理温度と電子写真感光体用電荷輸送材料の残留電位、帯電性（初期電位）及び感度（半減露光量）を検討することにより、引用発明の溶液処理温度を８０〜１３０℃となすことは、当業者が周知技術及び周知事項に基づいて容易になし得たことといえる。
（５）よって、引用発明において、上記相違点に係る本願発明の構成となすことは、当業者が当業者が周知技術及び周知事項に基づいて容易になし得たことである。 
（６）効果について 
　本願発明の奏する効果は、当業者が引用発明の奏する効果、周知技術の奏する効果及び周知事項の奏する効果から予測できた程度のものである。 
（７）まとめ
　以上のとおり、本願発明は、当業者が引用例に記載された発明、周知技術及び周知事項に基づいて容易に発明をすることができたものである。 
　 
６　むすび 
　したがって、本願発明は、当業者が引用例に記載された発明、周知技術及び周知事項に基づいて容易に発明をすることができたものであるから、特許法第２９条第２項の規定により特許を受けることができない。 
　よって、結論のとおり審決する。